(57)【要約】【課題】高い偽造防止効果を達成可能とする。【解決手段】本発明の表示体１０は、回折構造が設けられた部分を含んだ背面層１１と、前記背面層１１の前面と接合され、前記部分と向き合った領域の少なくとも一部が光散乱性を有している前面層１２とを具備したことを特徴とする。【選択図】      図２
2010044267.tif 000002
【特許請求の範囲】
【請求項１】
第１回折構造が設けられた第１部分を含んだ背面層と、前記背面層の前面と接合され、前記第１部分と向き合った領域の少なくとも一部が光散乱性を有している前面層とを具備したことを特徴とする表示体。
【請求項２】
前記背面層は、前記第１部分と前記前面に平行な方向に隣り合い、白色光で照明したときに前記第１部分とは異なる光学的応答を示す第２部分を更に含んだことを特徴とする請求項１に記載の表示体。
【請求項３】
前記第２部分には第２回折構造が設けられており、前記第１及び第２回折構造は方位及び／又は格子定数が異なる回折格子であり、前記前面層のうち前記第２部分と向き合った領域の少なくとも一部は光散乱性を有していることを特徴とする請求項２に記載の表示体。
【請求項４】
前記第２部分には第２回折構造が設けられており、前記第１及び第２回折構造は方位及び格子定数が等しい回折格子であり、前記第１及び第２部分は前記回折格子の回折効率が異なっており、前記前面層のうち前記第２部分と向き合った領域の少なくとも一部は光散乱性を有していることを特徴とする請求項２に記載の表示体。
【請求項５】
前記第２部分には、長さ方向が揃い、不規則に配置された複数の溝を含んだ光散乱構造が設けられており、前記前面層のうち前記第２部分と向き合った領域の少なくとも一部は光散乱性を有していることを特徴とする請求項２に記載の表示体。
【請求項６】
前記背面層は、前記前面層と向き合い、回折構造としての又は回折構造及び光散乱構造としてのレリーフ構造が背面に設けられた光透過層と、前記背面の少なくとも一部を被覆した反射層とを含んだことを特徴とする請求項１乃至５の何れか１項に記載の表示体。
【請求項７】
前記前面層は、前記第１部分と向き合った領域の少なくとも一部が光散乱性を有している光散乱層と、前記光散乱層と前記背面層との間に介在した剥離層とを含んだことを特徴とする請求項６に記載の表示体。
【請求項８】
前記第１及び前面層間に介在したパターン層を更に具備し、前記パターン層の少なくとも一部は前記第１部分と向き合っており、前記パターン層と前記背面層又は前記前面層との接触部は前記表示体において層間接着強さが最も低いか、又は、前記パターン層の少なくとも一部は前記第１部分と向き合っておらず、前記背面層と前記前面層との接触部は前記表示体において層間接着強さが最も低いことを特徴とする請求項６に記載の表示体。
【請求項９】
請求項１乃至８の何れか１項に記載の表示体と、前記表示体の背面上に設けられた粘着層とを具備したことを特徴とする粘着ラベル。
【請求項１０】
請求項１乃至８の何れか１項に記載の表示体と、前記表示体をその前面側で剥離可能に支持した支持体層とを具備したことを特徴とする転写箔。
【請求項１１】
請求項１乃至８の何れか１項に記載の表示体と、前記表示体を支持した物品とを具備したことを特徴とするラベル付き物品。
【発明の詳細な説明】
【技術分野】
【０００１】
本発明は、例えば、偽造防止効果、装飾効果及び／又は美的効果を提供する表示技術に関する。
【背景技術】
【０００２】
回折格子及びホログラムなどの回折構造は、通常の印刷技術では再現できない分光色を表示する。
【０００３】
また、回折構造の製造には、高度な技術が必要である。例えば、特許文献１には、二光束干渉を利用して回折格子を形成することが記載されている。また、特許文献２及び３には、回折格子を形成するために、一方の主面に感光性レジストを塗布した平板状の基板をＸＹステージ上に載置し、コンピュータ制御のもとでステージを移動させながら感光性レジストに電子ビームを照射することにより、感光性レジストをパターン露光することが記載されている。
【０００４】
そのため、回折構造を含んだ表示体は、偽造防止に代表される様々な目的で使用されている。
【特許文献１】特開昭６０−１５６００４号公報
【特許文献２】特開平２−７２３２０号公報
【特許文献３】米国特許第５０５８９９２号明細書
【発明の開示】
【発明が解決しようとする課題】
【０００５】
しかしながら、偽造防止対策が必要な物品の多くで回折構造を含んだ表示体が用いられるようになった結果、この技術が広く認知され、これに伴い、偽造品の発生も増加する傾向にある。そのため、回折構造を含んだ表示体を用いて十分な偽造防止効果を達成することが難しくなってきている。  
本発明の目的は、高い偽造防止効果を達成可能とすることにある。
【課題を解決するための手段】
【０００６】
本発明の第１側面によると、第１回折構造が設けられた第１部分を含んだ背面層と、前記背面層の前面と接合され、前記第１部分と向き合った領域の少なくとも一部が光散乱性を有している前面層とを具備したことを特徴とする表示体が提供される。
【０００７】
本発明の第２側面によると、第１側面に係る表示体と、前記表示体の背面上に設けられた粘着層とを具備したことを特徴とする粘着ラベルが提供される。
【０００８】
本発明の第３側面によると、第１側面に係る表示体と、前記表示体をその前面側で剥離可能に支持した支持体層とを具備したことを特徴とする転写箔が提供される。
【０００９】
本発明の第４側面によると、第１側面に係る表示体と、前記表示体を支持した物品とを具備したことを特徴とするラベル付き物品が提供される。
【発明の効果】
【００１０】
本発明によると、高い偽造防止効果を達成することが可能となる。
【発明を実施するための最良の形態】
【００１１】
以下、本発明の態様について、図面を参照しながら詳細に説明する。なお、同様又は類似した機能を発揮する構成要素には全ての図面を通じて同一の参照符号を付し、重複する説明は省略する。
【００１２】
図１は、本発明の一態様に係る表示体を概略的に示す平面図である。図２は、図１に示す表示体のＩＩ−ＩＩ線に沿った断面図である。図３乃至図５は、図１及び図２に示す表示体が含んでいるレリーフ構造を概略的に示す平面図である。
【００１３】
図１には、前面側、即ち観察者側から見た表示体１０を描いている。また、図２では、上側及び下側がそれぞれ前面側及び背面側である。図１及び図２において、Ｘ方向は表示体１０の表示面に平行な方向であり、Ｙ方向は表示体１０の表示面に平行な方向であり且つＸ方向と直交する方向であり、Ｚ方向はＸ及びＹ方向と直交する方向である。
【００１４】
この表示体１０は、図２に示すように、背面層１１と前面層１２とを含んでいる。前面層１２は、背面層１１の前面に接合されている。
【００１５】
背面層１１は、光透過層１１１と反射層１１２とを含んでいる。反射層１１２は、光透過層１１１の背面を被覆している。
【００１６】
光透過層１１１は、典型的には無色透明な材料からなる。光透過層１１１は、例えば、熱可塑性樹脂又は光硬化性若しくは熱硬化性樹脂の硬化物からなる。光透過層１１１は、僅かに着色していてもよい。光透過層１１１は、単層構造を有していてもよく、多層構造を有していてもよい。
【００１７】
反射層１１２としては、例えば、アルミニウム、銀、金、及びそれらの合金などの金属材料からなる金属層を使用することができる。或いは、反射層１１２として、光透過層１１１とは屈折率が異なる誘電体層を使用してもよい。或いは、反射層１１２として、隣り合うもの同士の屈折率が異なる誘電体層の積層体、即ち、誘電体多層膜を使用してもよい。或いは、反射層１１２として、単層の又は多層の誘電体層と金属層との積層体を使用してもよい。反射層１１２は、例えば、真空蒸着法及びスパッタリング法などの気相堆積法により形成することができる。
【００１８】
反射層１１２は、光透過層１１１の背面全体を被覆していてもよく、その一部のみを被覆していてもよい。ここでは、一例として、反射層１１２は、光透過層１１１の背面全体を被覆していることとする。
【００１９】
光透過層１１１と反射層１１２との界面には、レリーフ構造が設けられている。この界面は３つの部分ＩＦ１乃至ＩＦ３で構成されており、先のレリーフ構造は、界面部ＩＦ１及びＩＦ２では回折構造としての機能を有し、界面部ＩＦ３では光散乱構造としての機能を有している。
【００２０】
具体的には、界面部ＩＦ１及びＩＦ２には、回折構造として回折格子が設けられている。界面部ＩＦ１に設けられている回折格子は、図３に示すように、これを構成している溝ＧＲの長さ方向がＸ方向に対して略平行である。他方、界面部ＩＦ２に設けられている回折格子は、図４に示すように、これを構成している溝ＧＲの長さ方向がＸ方向に対して斜めに交差している。ここでは、一例として、界面部ＩＦ１及びＩＦ２に設けられている回折格子は、等しい格子定数を有しているとする。
【００２１】
界面部ＩＦ１には、溝ＧＲの長さ方向がＸ方向に対して斜めに又は垂直に交差する回折格子を設けてもよい。界面部ＩＦ２には、溝ＧＲの長さ方向がＸ方向に対して平行な又は垂直に交差する回折格子を設けてもよい。
【００２２】
界面部ＩＦ１の回折格子と界面部ＩＦ２の回折格子とで格子定数が等しい場合、それらは溝ＧＲの長さ方向が交差するように設ける。界面部ＩＦ１の回折格子と界面部ＩＦ２の回折格子とで溝ＧＲの長さ方向が等しい場合、それらの格子定数を異ならしめる。こうすると、界面部ＩＦ１及びＩＦ２は、第１方向から白色光で照明した場合に、波長が異なる回折光を第２方向に射出する。
【００２３】
界面部ＩＦ３には、図５に示すように凹部ＲＣが設けられている。ここでは、これら凹部ＲＣは、長さ方向が揃い、不規則に配置された複数の溝である。図５では、これら溝の長さ方向は、Ｙ方向に対して略平行である。これら溝の長さ方向は、Ｙ方向に対して交差する方向であってもよい。また、界面部ＩＦ３には、凹部ＲＣの代わりに溝形状の凸部を設けてもよい。
【００２４】
光透過層１１及び反射層１１２の一方は、省略することができる。但し、表示体１０が光透過層１１及び反射層１１２の双方を含んでいる場合、それらの一方のみを含んでいる場合と比較して、先の界面の損傷を生じ難く、表示体１０に視認性がより優れた像を表示させることができる。
【００２５】
背面層１１は、光透過層１１及び反射層１１２以外の層を更に含んでいてもよい。例えば、光透過層１１と反射層１１２との間に、パターニングされた着色層を含んでいてもよい。
【００２６】
前面層１２は、図２に示すように、基材１２１と光散乱層１２２とを含んでいる。  
基材１２１は、背面層１１の前面と向き合っている。基材１２１は、それ自体を単独で取り扱うことが可能な光透過層である。基材１２１は、典型的には透明である。基材１２１は、単層構造を有していてもよく、多層構造を有していてもよい。基材１２１の材料としては、例えば、ポリカーボネート及びポリエステルなどの光透過性を有する樹脂を使用することができる。
【００２７】
光散乱層１２２は、基材１２１の前面側に設置されている。光散乱層１１２は、例えば、透明樹脂からなるマトリクスと、その中に分散させた透明粒子とからなる。或いは、光散乱層１１２は、一方又は双方の主面に光散乱構造がレリーフ構造として設けられた光透過層である。光散乱層１２２は、単層構造を有していてもよく、多層構造を有していてもよい。
【００２８】
光散乱層１２２は、その全体が光散乱性を有していてもよい。或いは、光散乱層１２２は、その一部のみが光透過性を有し、他の部分は透明であってもよい。また、光散乱層１２２は、基材１２１の前面全体と向き合っていてもよく、その一部のみと向き合っていてもよい。光散乱層１２２の光散乱能を不均一とする場合、光散乱層１２２として、一方又は双方の主面に光散乱構造がレリーフ構造として設けられた光透過層を使用することが有利である。
【００２９】
光散乱層１２２の一部のみが光透過性を有している場合又は光散乱層１２２が基材１２１の前面の一部のみと向き合っている場合には、光散乱層１２２は、その光散乱性を有している部分が界面部ＩＦ１及びＩＦ２の少なくとも一部と向き合うように設計する。ここでは、一例として、光散乱層１２２は、基材１２１の前面全体と向き合っており、その全体が光散乱性を有しているとする。
【００３０】
光散乱層１２２のうち界面部ＩＦ１及びＩＦ２と向き合っており且つ光散乱性を有している部分は、典型的には、以下の光学的特性を有している領域を含んでいる。即ち、日本工業規格ＪＩＳ Ｋ７１３６：２０００（「プラスチック−透明材料のヘーズの求め方」）に規定された方法に従って得られるヘーズ値が５０％乃至９５％の範囲内にある。この領域は、典型的には、日本工業規格ＪＩＳ Ｋ７１０５−１９８１（「プラスチックの光学的特性試験方法」）に規定された方法に従って得られる６０度鏡面光沢度が２０％乃至６０％の範囲内にある。そして、この領域は、典型的には、日本工業規格ＪＩＳ Ｋ７３６１−１：１９９７（「プラスチック−透明材料の全光線透過率の試験方法−第１部：シングルビーム法」）に規定された方法に従って得られる全光線透過率が５０％乃至１００％の範囲内にある。これら光学的特性は、光散乱層１２２の全体に亘って一定であってもよく、光散乱層１２２の一部と他の一部とで異なっていてもよい。ここでは、一例として、先の光学的特性は、光散乱層１２２の全体に亘って一定であるとする。
【００３１】
光散乱層１２２から光透過層１１１と反射層１１２との界面までの距離は、例えば１０μｍ乃至２００μｍの範囲内とする。この距離が短い場合、表示体１０が表示する像が鮮明である。この距離を長くすると、表示体１０が表示する像の鮮明度が低下する。
【００３２】
前面層１２は、基材１２１及び光散乱層１２２以外の層を更に含んでいてもよい。例えば、前面層１２は、基材１２１と光散乱層１２２との間又は光散乱層１２２の前面上に、パターニングされた着色層を含んでいてもよい。
【００３３】
なお、以下、表示体１０のうち界面部ＩＦ１乃至ＩＦ３に対応した部分を、それぞれ表示部ＤＡ１乃至ＤＡ３と呼ぶ。これら表示部ＤＡ１乃至ＤＡ３は、表示体１０の前面に平行な方向に隣り合っており、白色光で照明したときに異なる光学的応答を示す。
【００３４】
次に、この表示体１０が表示する像について説明する。  
図６は、図１及び図２に示す表示体が表示する像の一例を概略的に示す平面図である。図７は、図１及び図２に示す表示体が表示する像の他の例を概略的に示す平面図である。
【００３５】
図１及び図２に示す表示体１０を白色光で照明すると、表示体１０は、ほぼ無彩色の像を表示する。例えば、或る観察条件のもとでは、図６に示すように、表示部ＤＡ１は白色乃至灰白色に見え、表示部ＤＡ２は灰色乃至黒色に見え、表示部ＤＡ３は白色乃至灰白色に見える。そして、例えば、Ｚ方向に対して照明角度及び／又は観察角度を変化させると、図７に示すように、表示部ＤＡ１と表示部ＤＡ２との間で明暗の関係が逆転する。これは、以下の理由による。
【００３６】
まず、表示体１０から前面層１２を省略し、これを白色光で照明した場合に表示される像について説明する。
【００３７】
表示体１０から前面層１２を省略し、これを白色光で照明すると、界面部ＩＦ１及びＩＦ２では回折を生じ、界面部ＩＦ３では散乱を生じる。回折角は波長に依存しているので、界面部ＩＦ１及びＩＦ２の各々は、波長に応じて異なる回折角で回折光を射出する。即ち、界面部ＩＦ１及びＩＦ２の各々は、白色光を分光する。
【００３８】
界面部ＩＦ１及び界面部ＩＦ２に設けられている回折格子は、格子定数は等しいが、溝ＧＲの長さ方向が異なっている。それゆえ、例えば、Ｘ方向に垂直な方向から照明したとすると、界面部ＩＦ１及び界面部ＩＦ２に設けられている回折格子は、同一波長の回折光を異なる方向に射出する。
【００３９】
また、或る波長の１次回折光と、その波長のより高次の回折光とは、回折角が大きく異なっている。加えて、緑色光に対する人間の視感度は、青色光及び赤色光に対する人間の視感度と比較して遥かに高い。それゆえ、表示体１０から前面層１２を省略した場合、例えば、照明角度及び／又は観察角度を大きくすると、表示部ＤＡ１及びＤＡ２の各々は、明るい像と暗い像とを交互に表示する。そして、表示部ＤＡ１及びＤＡ２は、同じ次数の緑色回折光を射出する方向が異なっているので、一方が明るい像を表示しているときに、他方は暗い像を表示している可能性がある。
【００４０】
このように、表示体１０から前面層１２を省略した場合、表示部ＤＡ１及びＤＡ２の各々は、例えば照明角度及び／又は観察角度を大きくするのに伴って表示色を変化させる。そして、表示部ＤＡ１及びＤＡ２の各々は、例えば照明角度及び／又は観察角度を大きくしたときに、一方が明るい像を表示しているときに他方が暗い像を表示するように、明るい像と暗い像とを交互に表示する。
【００４１】
前面層１２を設けると、照明光は光散乱層１２２によって散乱される。それゆえ、各回折格子に入射する光の入射角にばらつきを生じる。そして、各回折格子が射出した回折光は、光散乱層１２２を透過することによって散乱される。その結果、分光された光成分が混ざり合う。
【００４２】
それゆえ、光散乱層１２２が適度な散乱能を有していれば、表示体１０は、例えば、次数が異なる回折光の混合を殆ど生じさせることなしに、白色光又はそれとほぼ同じ色感覚を与える光を表示光として射出する。即ち、前面層１２を設けることにより、照明角度及び／又は観察角度に応じて明暗が変化するという特徴を残したまま、表示部ＤＡ１及びＤＡ２にほぼ無彩色の像を表示させることができる。
【００４３】
また、界面部ＩＦ３には光散乱構造が設けられているので、表示体１０から前面層１２を省略した場合、表示部ＤＡ３は白色乃至灰白色の像を表示する。この像は、照明角度及び／又は観察角度を変化させても、明るさの変化を生じず、着色することもない。そして、前面層１２を設けても、表示部ＤＡ３が表示する像は殆ど変化しない。即ち、表示部ＤＡ３は、表示部ＤＡ１及びＤＡ２と同様に無彩色の像を表示するものの、表示部ＤＡ１及びＤＡ２とは異なり、照明角度及び／又は観察角度に応じた明るさの変化は生じない。
【００４４】
表示部ＤＡ１及びＤＡ２の各々について上述した特徴、即ち、ほぼ無彩色の像を表示し、その明るさが照明角度及び／又は観察角度に応じて変化するという特徴は、特殊であると共に、肉眼で簡単に確認することができる。特に、表示部１０が表示部ＤＡ１及びＤＡ２を含んでいると、図６及び図７を参照しながら説明したように、表示部ＤＡ１と表示部ＤＡ２との間で明暗の関係が逆転するという極めて特殊な視覚効果を達成できる。また、表示部１０が表示部ＤＡ１及び／又はＤＡ２と表示部ＤＡ３とを含んでいると、表示部ＤＡ３との対比によって、表示部ＤＡ１及び／又はＤＡ２の特殊な視覚効果を際立たせることができる。
【００４５】
そして、このような光学的特徴を、他の構成によって再現することは不可能であるか又は困難である。  
加えて、この表示体１０は、回折構造に特徴的な分光色を表示しないため、回折構造を含んでいることを悟られ難い。  
従って、この表示体１０を使用すると、高い偽造防止効果を達成することができる。
【００４６】
なお、表示体１０は、偽造防止以外の目的で使用してもよい。例えば、表示体１０は、玩具、学習教材又は装飾品等としても利用することができる。
【００４７】
この表示体１０は、以下に説明するように、様々な形態で利用することができる。
【００４８】
図８は、粘着ラベルの一例を概略的に示す断面図である。  
この粘着ラベル２０は、図１乃至図７を参照しながら説明した表示体１０と、粘着層２３０とを含んでいる。粘着層２３０は、粘着剤からなる。粘着層２３０は、表示体１０の背面を被覆している。
【００４９】
この粘着ラベル２０は、その使用前には、通常、剥離紙などに支持させておく。そして、その使用時には、これを剥離紙から剥がし、物品に貼り付ける。
【００５０】
図９は、転写箔の一例を概略的に示す断面図である。  
この転写箔３０は、図１乃至図７を参照しながら説明した表示体１０と、支持体層３１０と、剥離層３２０と、接着層３３０とを含んでいる。
【００５１】
支持体層３１０は、表示体１０の前面を剥離可能に支持している。支持体層３１０は、転写時に印加する熱及び圧力等に対して十分な強度を有している。
【００５２】
剥離層３２０は、支持体層３１０と表示体１０との間に介在している。剥離層３２０は、表示体１０の支持体層３１０からの剥離を促進するために設ける。また、剥離層３２０を表示体１０と共に支持体層３１０から剥離する構成を採用した場合には、剥離層３２０は前面層１２を損傷から保護するための保護層としての役割も果たす。剥離層３２０は省略してもよい。
【００５３】
接着層３３０は、表示体１０の背面を被覆している。接着層３３０は、例えば熱可塑性樹脂からなる。例えば物品と転写箔３０との間に別途用意した熱可塑性樹脂層を挟んで転写プロセスを実施する場合には、接着層３３０は省略することができる。
【００５４】
図１０は、ラベル付き物品の一例を概略的に示す平面図である。
【００５５】
このラベル付き物品５０は、図１乃至図７を参照しながら説明した表示体１０と、物品５１０とを含んでいる。
【００５６】
物品５１０は、真正品であることが確認されるべき物品である。物品５１０は、例えば、キャッシュカード、クレジットカード及びパスポートなどの認証媒体又は商品券及び株券などの有価証券媒体である。典型的には、物品５１０は印刷物である。物品５１０は、認証媒体及び有価証券媒体以外の物品でもよい。例えば、物品５１０は、工芸品又は美術品であってもよい。或いは、物品５１０は、包装体とこれに収容された内容物とを含んだ包装品であってもよい。
【００５７】
表示体１０は、物品５１０に支持されている。例えば、表示体１０は、物品５１０に貼り付けられる。この場合、例えば、図８に示す粘着ラベル２０を物品５１０に貼り付けること又は図９に示す転写箔３０を用いることにより、表示体１０を物品５１０に支持させることができる。
【００５８】
このラベル付き物品５０が含んでいる表示体１０は、図６及び図７を参照しながら説明した像の変化を生じる。従って、このラベル付き物品５０を真正品とすると、真正品であるかが不明の物品が上述した像の変化を生じないときには、この物品は非真正品であると判断することができる。
【００５９】
表示体１０は、粘着層２３０又は接着層３３０を介して物品５１０に支持させる代わりに、他の方法で物品５１０に支持させてもよい。  
例えば、物品５１０が紙を含んでいる場合、この紙の中に表示体１０を埋め込んでもよい。この場合、ラベル付き物品５０は、例えば、抄紙の際に繊維の層の間に回折画像表示体１０を挟みこみ、その後、必要に応じて紙面への印刷等を行うことにより得られる。なお、潜像の可視化を容易にすべく、紙のうち表示体１０の前面を被覆している部分には開口を設けてもよい。また、紙に埋め込む表示体１０の形状に特に制限はない。例えば、スレッド状の表示体１０を紙に埋め込んでもよい。
【００６０】
表示体１０を含んだタグを物品５１０に取り付けることにより、回折画像表示体１０を物品５１０に支持させてもよい。物品５１０へのタグの付け替えが一般ユーザにとって困難であれば、表示体１０は、物品５１０の真正を確認するのに十分に役立つ。
【００６１】
上述した表示体１０には、前面層１２又は光散乱層１２２を背面層１１から剥離可能な構成を採用してもよい。
【００６２】
図１１は、一変形例に係る表示体を概略的に示す断面図である。  
図１１に示す表示体１０は、前面層１２が剥離層１２３を更に含んでいること以外は図１乃至図７を参照しながら説明した表示体１０と同様である。
【００６３】
剥離層１２３は、基材１２１と光散乱層１２２との間に介在している。表示体１０が含んでいる隣接した２つの層のうち、剥離層１２３とこれに隣接した層とは、層間接着強さが最も低い。この構成を採用すると、光散乱層１２２を基材１２１から容易に剥離することができる。
【００６４】
剥離層１２３は、例えば透明であり、典型的には無色透明である。剥離層１２３を基材１２１から除去できれば、剥離層１２３は光散乱性を有していてもよい。
【００６５】
なお、ここでは、剥離層１２３を基材１２１と光散乱層１２２との間に介在させているが、剥離層１２３は基材１２１と背面層１１との間に介在させてもよい。この場合、基材１２１と光散乱層１２２との積層体を、背面層１１から容易に剥離することができる。
【００６６】
また、剥離層１２３は省略してもよい。表示体１０が含んでいる隣接した２つの層のうち基材１２１又は光散乱層１２２とこれに隣接した層とが最小の層間接着強さを有していれば、光散乱層１２２又は光散乱層１２２と基材１２１との積層体を背面層１１から剥離することができる。
【００６７】
図１２は、図１１に示す表示体を含んだラベル付き物品の一例を概略的に示す断面図である。図１３は、図１２に示すラベル付き物品の表示体から光散乱層を剥離することにより得られる構造を示す断面図である。図１４は、光散乱層を剥離した表示体が表示する像の一例を概略的に示す平面図である。
【００６８】
なお、図１３において、参照符号１０’は、図１１に示す表示体１０から光散乱層１２２を除去することにより得られる構造を示している。また、図１３において、参照符号５０’は、図１２に示すラベル付き物品５０から表示体１０の光散乱層１２２を除去することにより得られる構造を示している。
【００６９】
図１２に示すラベル付き物品５０は、図１１に示す表示体１０を、粘着層又は接着層５３０を介して物品５１０に貼り付けることにより得られる。このラベル付き物品５０を真正品とした場合、真正品であるかが不明の物品が図６及び図７を参照しながら説明した像の変化を生じる表示体を含んでいないときには、この物品は非真正品であると判断することができる。
【００７０】
そして、このラベル付き物品５０は、図１３に示すように光散乱層１２２を剥離することができる。表示体１０から光散乱層１２２を除去してなる表示体１０’は、表示体１０とは異なる像を表示する。具体的には、表示体１０’の表示部ＤＡ１及びＤＡ２は、回折構造に由来した分光色を表示する。即ち、光散乱層１２２を剥離すると、表示部ＤＡ３の表示色は殆ど変化せず、表示部ＤＡ１及びＤＡ２の表示色が変化する。従って、このラベル付き物品５０を真正品とした場合、真正品であるかが不明の物品が剥離可能な光散乱層を備えた表示体を含んでいないとき又は光散乱層を剥離したときに分光色を表示する表示体を含んでいないときには、この物品は非真正品であると判断することができる。
【００７１】
表示体１０には、以下の構成を採用してもよい。  
図１５は、他の変形例に係る表示体を概略的に示す断面図である。
【００７２】
この表示体１０は、パターン層１３を更に含んでいること以外は図１乃至図７を参照しながら説明した表示体１０と同様である。
【００７３】
パターン層１３は、背面層１１と前面層１２との間に介在している。パターン層１３は、パターニングされている層であって、光透過性を有している。パターン層１３は、透明であってもよく、光散乱性を有していてもよい。典型的には、パターン層１３は無色である。例えば、パターン層１３は、無色透明である。
【００７４】
パターン層１３の少なくとも一部は、背面層１１のうち回折構造が設けられた界面部ＩＦ１及び／又はＩＦ２に対応した部分と向き合っている。ここでは、パターン層１３は、背面層１１のうち界面部ＩＦ１乃至ＩＦ３に対応した部分の各々と部分的に向き合っている。
【００７５】
表示体１０が含んでいる隣接した２つの層のうち、パターン層１３と背面層１１又は前面層１２との接触部は、層間接着強さが最も低い。この構成を採用すると、以下に説明するように、光散乱層１２２を剥離した場合に、下層１１の破壊を生じさせることができる。
【００７６】
図１６は、図１５に示す表示体を物品に貼り付け、そこから光散乱層を剥離することにより得られるラベル付き物品の一例を概略的に示す平面図である。図１７は、図１６に示すラベル付き物品のＸＶＩＩ−ＸＶＩＩ線に沿った断面図である。
【００７７】
図１５に示す表示体１０は、図１乃至図７を参照しながら説明した表示体１０と同様の像を表示する。従って、この表示体１０を物品５１０に貼り付けてなるラベル付き物品５０を真正品とした場合、図１０を参照しながら説明したのと同様の方法により真偽判定を行うことができる。
【００７８】
また、パターン層１３と背面層１１又は前面層１２との接触部は、背面層１１と前面層１２との接触部とは層間接着強さが異なっており、表示体１０が含んでいる隣接した２つの層のうち層間接着強さが最も低い。従って、このラベル付き物品５０は、背面層１１から前面層１２を剥離すると、パターン層１３の輪郭に沿った下層１１の破壊、典型的には脆性破壊を生じ得る。それゆえ、例えば、図１６及び図１７に示すように、下層１１のうち、パターン層１３に対応した部分を物品５１０上に残し、他の部分を物品５１０から除去することができる。
【００７９】
下層１１のうち物品５１０上に残った部分は、図１３及び図１４を参照しながら説明したのと同様の真偽判定に利用できる。そして、剥離した前面層１２上には、背面層１１のうち一部のみが存在するので、この構造は偽造防止の目的で再使用することはできない。それゆえ、この構造を採用すると、より優れた偽造防止効果を達成できる。
【００８０】
上述した表示体１０において、光透過層１１１と反射層１１２との界面は、平坦面を更に含んでいてもよい。
【００８１】
光透過層１１１と反射層１１２との界面から界面部ＩＦ１及びＩＦ２の一方を省略してもよい。或いは、この界面は、界面部ＩＦ１及びＩＦ２とは異なる光学的応答を示す回折構造が設けられた界面部を更に含んでいてもよい。
【００８２】
また、光透過層１１１と反射層１１２との界面から界面部ＩＦ３を省略してもよい。或いは、この界面は、界面部ＩＦ３とは異なる光学的応答を示す光散乱構造が設けられた界面部を更に含んでいてもよい。例えば、この界面は、溝の長さ方向が異なること以外は界面部ＩＦ３と同様の界面部を更に含んでいてもよい。或いは、この界面は、溝形状を有しており、長さ方向が不規則な複数の凹部又は凸部が設けられた界面部と、溝形状以外の形状を有している凹部又は凸部が設けられた界面部との少なくとも一方を更に含んでいてもよい。
【００８３】
なお、図５に示す光散乱構造は、偏光面が溝の長さ方向に平行な直線偏光に対する光散乱能が、偏光面が溝の幅方向に平行な直線偏光に対する光散乱能とは異なっている。それゆえ、直線偏光子などの偏光子を介してこの表示体１０を照明及び／又は観察する場合、表示部ＤＡ３の明るさは、偏光面と界面部ＩＦ３に設けられている溝の長さ方向とが為す角度に依存する。従って、例えば、真偽判定を行う際に、この特徴を確認してもよい。
【００８４】
回折構造として回折格子を使用する代わりに、ホログラムを使用してもよい。或いは、回折構造として、回折格子とホログラムとを併用してもよい。回折構造がホログラムを含んでいる場合、ホログラムは、レリーフホログラムであってもよく、体積ホログラムであってもよい。
【図面の簡単な説明】
【００８５】
【図１】本発明の一態様に係る表示体を概略的に示す平面図。
【図２】図１に示す表示体のＩＩ−ＩＩ線に沿った断面図。
【図３】図１及び図２に示す表示体が含んでいるレリーフ構造の一部を概略的に示す平面図。
【図４】図１及び図２に示す表示体が含んでいるレリーフ構造の他の一部を概略的に示す平面図。
【図５】図１及び図２に示す表示体が含んでいるレリーフ構造の更に他の一部を概略的に示す平面図。
【図６】図１及び図２に示す表示体が表示する像の一例を概略的に示す平面図。
【図７】図１及び図２に示す表示体が表示する像の他の例を概略的に示す平面図。
【図８】粘着ラベルの一例を概略的に示す断面図。
【図９】転写箔の一例を概略的に示す断面図。
【図１０】ラベル付き物品の一例を概略的に示す平面図。
【図１１】一変形例に係る表示体を概略的に示す断面図。
【図１２】図１１に示す表示体を含んだラベル付き物品の一例を概略的に示す断面図。
【図１３】図１２に示すラベル付き物品の表示体から光散乱層を剥離することにより得られる構造を示す断面図。
【図１４】光散乱層を剥離した表示体が表示する像の一例を概略的に示す平面図。
【図１５】他の変形例に係る表示体を概略的に示す断面図。
【図１６】図１５に示す表示体を物品に貼り付け、そこから光散乱層を剥離することにより得られるラベル付き物品の一例を概略的に示す平面図。
【図１７】図１６に示すラベル付き物品のＸＶＩＩ−ＸＶＩＩ線に沿った断面図。
【符号の説明】
【００８６】
１０…表示体、１０’…表示体、１１…背面層、１２…前面層、１３…パターン層、２０…粘着ラベル、３０…転写箔、５０…ラベル付き物品、５０’…ラベル付き物品、１１１…光透過層、１１２…反射層、１２１…基材、１２２…光散乱層、１２３…剥離層、２３０…粘着層、３１０…支持体層、３２０…剥離層、３３０…接着層、５１０…物品、５３０…粘着層又は接着層、ＤＡ１…表示部、ＤＡ２…表示部、ＤＡ３…表示部、ＧＲ…溝、ＩＦ１…界面部、ＩＦ２…界面部、ＩＦ３…界面部、ＲＣ…凹部。
【図１】
2010044267.tif 000003
【図２】
2010044267.tif 000004
【図３】
2010044267.tif 000005
【図４】
2010044267.tif 000006
【図５】
2010044267.tif 000007
【図６】
2010044267.tif 000008
【図７】
2010044267.tif 000009
【図８】
2010044267.tif 000010
【図９】
2010044267.tif 000011
【図１０】
2010044267.tif 000012
【図１１】
2010044267.tif 000013
【図１２】
2010044267.tif 000014
【図１３】
2010044267.tif 000015
【図１４】
2010044267.tif 000016
【図１５】
2010044267.tif 000017
【図１６】
2010044267.tif 000018
【図１７】
2010044267.tif 000019